(57)【特許請求の範囲】
【請求項１】
分離不能管継手を製作するための押圧ジョーであって、
−上側ジョー半体（２ａ）と、
−下側ジョー半体（２ｂ）と、
−少なくとも１つのジョー半体（２ａ、２ｂ）を枢支する少なくとも１つの旋回軸と、
−前記上側ジョー半体（２ａ）と前記下側ジョー半体（２ｂ）との間に形成された受入領域（２２）であって、受入領域軸線（２４）を有する受入領域（２２）と、
−少なくとも一方のジョー半体（２ａ、２ｂ）は開位置と閉位置との間で、前記受入領域軸線（２４）をほぼ横切る方向に枢動可能である、
押圧ジョーにおいて、
−前記受入領域軸線（２４）をほぼ横切る方向への前記少なくとも一方のジョー半体（２ａ、２ｂ）の枢動を前記受入領域軸線（２４）に少なくとも部分的に平行な変位に変換する押しユニット（２６）が少なくとも１つ設けられる、
ことを特徴とする押圧ジョー。
【請求項２】
−前記上側ジョー半体（２ａ）は、第１の上側ジョー四分体（４ａ）と第２の上側ジョー四分体（６ａ）とを有し、
−前記下側ジョー半体（２ｂ）は、第１の下側ジョー四分体（４ｂ）と第２の下側ジョー四分体（６ｂ）とを有し、
−前記第１のジョー四分体（４ａ、４ｂ）は、前記第２のジョー四分体（６ａ、６ｂ）とは少なくとも部分的に独立に、閉じることができる、
ことを特徴とする請求項１に記載の押圧ジョー。
【請求項３】
前記受入領域軸線（２４）に少なくとも部分的に平行な前記押しユニット（２６）の変位が前記受入領域軸線（２４）をほぼ横切る方向への少なくとも１つの第２のジョー四分体（６ａ、６ｂ）の閉運動に少なくとも部分的にカップリングされるように、前記押しユニット（２６）と前記少なくとも１つの第２のジョー四分体（６ａ、６ｂ）との間にカップリング（３２ａ、３２ｂ）がもたらされる、
ことを特徴とする請求項２に記載の押圧ジョー。
【請求項４】
前記押しユニット（２６）と少なくとも１つの第２のジョー四分体（６ａ、６ｂ）とに設けられた接触面（３４ａ、３６ａ；３４ｂ、３６ｂ）であって、互いに対して適合化された、前記受入領域軸線（２４）に対して傾斜している接触面（３４ａ、３６ａ；３４ｂ、３６ｂ）によって前記カップリング（３２ａ、３２ｂ）が実現される、
ことを特徴とする請求項２または３に記載の押圧ジョー。
【請求項５】
前記接触面（３４ａ、３６ａ；３４ｂ、３６ｂ）は前記受入領域軸線（２４）に対して少なくとも３０°および／または最大８０°傾斜している、
ことを特徴とする請求項２〜４の何れか１項に記載の押圧ジョー。
【請求項６】
−前記第２のジョー四分体（６ａ、６ｂ）は、前記受入領域軸線（２４）に沿って前記第１のジョー四分体（４ａ、４ｂ）からずらして配置される、
ことを特徴とする請求項２〜５の何れか１項に記載の押圧ジョー。
【請求項７】
−前記第１のジョー四分体（４ａ、４ｂ）は、前記受入領域軸線（２４）をほぼ横切る方向に、ほぼ第１の平面に位置付けられ、
−前記第２のジョー四分体（６ａ、６ｂ）は、前記受入領域軸線（２４）をほぼ横切る方向に、ほぼ第２の平面に位置付けられる、
ことを特徴とする請求項２〜６の何れか１項に記載の押圧ジョー。
【請求項８】
前記第１のジョー四分体（４ａ、４ｂ）は圧締用ジョーとして構成される、
ことを特徴とする請求項２〜７の何れか１項に記載の押圧ジョー。
【請求項９】
−前記第１のジョー四分体（４ａ、４ｂ）は第１の入口形状（１２）を有し、
−前記第２のジョー四分体（６ａ、６ｂ）は第２の入口形状（１４）を有し、
−前記第１の入口形状（１２）と前記第２の入口形状（１６）とは形状が互いに異なる、
ことを特徴とする請求項２〜８の何れか１項に記載の押圧ジョー。
【請求項１０】
前記受入領域軸線（２４）をほぼ横切る方向への前記押しユニット（２６）の運動が少なくとも１つの第１のジョー四分体（４ａ、４ｂ）の運動にカップリングされるように、前記押しユニット（２６）と前記対応する少なくとも１つの第１のジョー四分体（４ａ、４ｂ）との間に案内手段（２８ａ、２８ｂ）が設けられる、
ことを特徴とする請求項２〜９の何れか１項に記載の押圧ジョー。
【請求項１１】
前記押しユニット（２６）は上側押し要素（２６ａ）と下側押し要素（２６ｂ）とを有する、
ことを特徴とする請求項１〜１０の何れか１項に記載の押圧ジョー。
【請求項１２】
−請求項１〜１１の何れか１項に記載の押圧ジョー（１）と、
−基体（５４）およびプレススリーブ（５６、５８）を有する結合具（５０）と、
を備えるシステムであって、
−前記押圧ジョー（１）の前記受入領域（２２）は前記結合具基体（５４）に適合化され、
−前記受入領域軸線（２４）に少なくとも部分的に平行な前記押しユニット（２６）の運動によって前記プレススリーブ（５６、５８）が前記結合具基体（５４）に少なくとも部分的に押し付けられ得るように、前記押圧ジョー（１）の前記押しユニット（２６）は前記プレススリーブ（５６、５８）に適合化される、
システム。
【請求項１３】
請求項１〜１１の何れか１項に記載の押圧ジョーを用いて、結合具基体およびプレススリーブを有する結合具と、管材と、を備える分離不能管継手を製作する方法であって、
−前記押圧ジョーを作動させることによって前記押圧ジョーの受入領域に配置された前記結合具基体が固定され、
−前記結合具基体が固定された後、前記受入領域軸線に少なくとも部分的に平行な、前記押圧ジョーの押しユニットの運動によって前記プレススリーブが前記結合具基体に押し付けられる、
方法。
【請求項１４】
−前記管材は前記押圧ジョーの第１の上側および下側押圧ジョー四分体によって固定され、
−前記受入領域軸線に少なくとも部分的に平行な前記押しユニットの前記運動は、第２の下側および上側押圧ジョー四分体の閉運動によって生じる、
請求項１３に記載の方法。
【請求項１５】
前記結合具と前記管材との間に金属封止接合が形成される、
請求項１３または１４に記載の方法。
【発明の詳細な説明】
【技術分野】
【０００１】
本発明は、分離不能管継手を製作するための押圧ジョーであって、上側ジョー半体と、下側ジョー半体と、少なくとも一方のジョー半体を枢支する少なくとも１つの旋回軸と、上側ジョー半体と下側ジョー半体との間に形成された、受入領域軸線を有する受入領域とを有し、当該少なくとも一方のジョー半体は、開位置と閉位置との間で、受入領域軸線をほぼ横切る方向に枢動可能である、押圧ジョーに関する。本発明は、基体とプレススリーブとを備えた結合具と、本発明による押圧ジョーから成るシステムとに更に関する。本発明は、更に、押圧ジョーを用いて分離不能管継手を製作する方法と、結合具を金属管に金属封止式に接合する方法とに関する。
【背景技術】
【０００２】
上記種類の押圧ジョー、結合具、システム、および方法は、従来技術から、例えば飲料水設備または加熱用設備の部門から、既に公知である。この点に関して、「分離不能管継手」とは、具体的には、分離および再連結されるべく構成されていない継手、すなわち最早分離できないか、または分離が困難な、具体的には、管継手の個々のワークを破壊しなければ分離できない継手を意味するものと理解されたい。
【０００３】
この管継手は、できる限り単純かつ確実に製作可能であることと、高い耐密度をできる限り長期間保証することを目的とする。押圧ジョーまたは方法は、結合具、管、ソケットなどのワークをほぼ半径方向に、すなわち受入領域の軸線を横切る方向に、押圧するために用いられることが好ましい。この点に関して、受入領域軸線は、両ジョー半体の間に広がる領域に対してほぼ垂直に延在する。受入領域が円筒形の場合、受入領域の軸線は、この円筒の軸線にほぼ一致する。ワークが受入領域に導入されると、受入領域軸線とワーク、例えば管または結合具の、軸線とは、少なくとも両ジョー半体が閉じているとき、ほぼ一致する。両ジョー半体のグリッパー状の閉運動は、少なくとも部分的に重なり合うように受入領域に配置された２つ以上のワーク、例えば結合具と管、を変形させ、この結果として、これらワークを互いに分離不能に接合し合う。
【０００４】
押圧ジョーの閉運動には、押圧機が用いられることが多い。この押圧機に押圧ジョーが装着される。押圧機は、受入領域を形成する両ジョー半体の前端を閉じるために、押圧ジョーの両ジョー半体の後端の間にボルトまたはローラを押し込む。代わりに、または加えて、押圧ジョーの、例えば手作業による、作動を目的とすることもできる。「上側」と「下側」（例えば、ジョー半体）の区別は限定的であると理解されてはならない。実際、押圧ジョーは、必要に応じて、空間的に配置可能である。
【０００５】
ただし、従来技術の押圧手順は不都合であり得る。例えば、この目的のために設けられた押圧ジョーまたは方法は、押圧対象のワークに対する全体的に一様な押圧力の付与を著しく困難にする。この押圧手順の前、管および結合具は、好ましくは回転対称の、ほぼ丸い形状を有する。ただし、この対称性は、管と結合具との間の接合箇所に非均等に加わる押圧力のために、押圧手順後は狂っていることもあり得る。これは、特に継手の機能性を損ない得る。
【０００６】
更に、押圧手順中に応力が加わるワークの材料、特にプラスチック材料または金属、は、押圧力に向かって慣性を示し得る。この、復元力の形態の、慣性は、押圧手順によって変形された材料がワークの初期状態または初期構造を少なくとも部分的に再現しようとすることを意味し得る。このため、半径方向内向きにのみ働く押圧方法の使用者は、所望の押圧結果を得るために、例えば、半径方向内向きに加わる押圧力を増大させる必要がある。ただし、これは、押圧対象のワークの材料に対する、意図された程度を超えた、ひいては基本的に望ましくない、要求を表す。
【０００７】
上記の諸問題は、特に所謂軸方向の押圧方法を用いることによって解決、または少なくとも低減、可能である。ここで、「軸方向の」とは、押圧対象のワークがワーク軸線または受入領域軸線に少なくとも部分的に沿って移動されることを意味する。変形されるワークの復元特性も原則として軸線方向に働くが、ワークの軸方向範囲は半径方向範囲より通常長いため、材料にかかる応力の増大効果を最小化できる。
【０００８】
ただし、この種の軸方向の押圧のための押圧工具は、軸方向に押圧される領域を広く取り囲む必要があるので、極めて大型で嵩張る。この理由により、例えば、特許文献１は、半径方向の押圧のための押圧工具は、この工具上の、および結合具上の、傾斜した押圧面によって、受入領域軸線に沿った軸方向の押圧も実現できる方法を開示している。したがって、受入領域軸線を横切る方向への両ジョー半体の運動にも拘らず、受入領域軸線に沿って結合具を押圧できる。
【０００９】
ただし、押圧力の変換または偏向には、結合具の外周面に傾斜面によって設けられた特定の経路が必要である。この点に関して、問題は、傾斜した押圧面により結合具の直径が増すため、直径が大幅に増加した結合具が必要であることである。この結果、一方では、より大型の、相対的に扱い難い結合具になり、他方では、材料消費の増加、すなわち結合具の製作コストの上昇、をもたらす。
【００１０】
軸方向に押圧される上記の結合具は、通常、可撓性材料、特にエラストマー、製の封止要素を用いる。同様に、２つの金属製ワークの間に封止部を有する結合具、所謂、軸方向の押圧による金属封止結合具、は公知である。押圧前、軸方向に押圧されるこれら結合具は、半径方向内向きに突出する刃縁または突条を複数有し、押圧中、接合対象の管の材料に食い込んで封止部を形成する。したがって、これら結合具の構造は複雑であり、製作費用がかさむ。この種の結合具は、特許文献２、特許文献３、および特許文献４から公知である。
【００１１】
また、極めて単純な構造の半田結合具も昔から公知であった。半田結合具は、単純な管材から成り、その内径は、通常、そこに接合される管材の内径と同じである。この半田結合具の少なくとも一端はソケットとして、その内径が接合対象の管の外径にほぼ一致するように、所定の受入部分にわたって拡径される。次に、この拡径された部分に、すなわちソケットに、接合対象の管が挿入され、結合具と管材とは半田によって材料結合式に接合される。
【００１２】
この理由により、半田結合具は、広範な用途を有し、その製作コストが低いために、押圧結合具の経済的な代替品である。半田結合具は半田ゆえに金属封止とみなされるが、半田結合具は、管の金属と半田の金属とが異なるために、材料純度を有しない。更に、手間の掛かる結合具の半田付けを現場で行う必要があり、一方では、極めて時間が掛かり、他方では、周囲の状況によっては行えない。このように、金属封止式でありながら、経済的に匹敵する、種々の技術的用途のための押圧結合具は存在しない。
【先行技術文献】
【特許文献】
【００１３】
【特許文献１】独国特許出願公開第１０  ２００８  ０１０  ０８３（Ａ１）号
【特許文献２】米国特許第５，１１４，１９１号
【特許文献３】独国特許出願公告第１００  ２６  ０８３（Ｃ１）号
【特許文献４】独国特許出願公告第１０１  ０５  ０１３（Ｃ１）号
【発明の概要】
【発明が解決しようとする課題】
【００１４】
上記に鑑みて、本発明の目的は、受入領域の軸線を横切る方向への押圧を容易にすると同時に、ワーク、特に結合具、の小型化を可能にする押圧ジョー、押圧ジョーを用いたシステム、方法、および結合具を提供することである。
【課題を解決するための手段】
【００１５】
本発明の第１の教示によると、上記の技術的問題は、受入領域軸線に少なくとも部分的に平行に変位可能な押しユニットが少なくとも１つ設けられた、分離不能管継手を製作するための汎用押圧ジョーによって解決される。
【００１６】
上記押圧ジョーは受入領域軸線に少なくとも部分的に平行に変位可能な押しユニットを少なくとも１つ有するという事実により、受入領域軸線を横切る方向への旋回運動にも拘らず、挿入された１つ以上のワークの受入領域軸線に沿った押圧手順が汎用押圧ジョーによって容易に実現される。これにより、押しユニットは、受入領域軸線に平行な押圧手順を可能にする。ここで、結合具において力を偏向させるために、高く延在する摺動面を設けて結合具の直径を増やす必要はない。代わりに、結合具を小さな直径で構成できるので、材料の節約により製作に好都合な省スペースの結合具を提供できる。押しユニットの、受入領域軸線に平行であって、少なくとも一方のジョー半体に対して少なくとも部分的に平行な運動によって、ワーク、例えば結合具または結合具の構成要素、を直接移動できるので、結合具の摺動面によって力を偏向させる必要はない。この結果、従来技術の軸方向押圧機に比べ、取り扱いがより容易な押圧ジョーの提供も可能である。当該押圧ジョーは、結合具以外のワークの押圧にも使用可能である。
【００１７】
「受入領域軸線に少なくとも部分的に平行な変位」という表現は、この方向に、部分的および／または一時的であっても、押しユニットが移動できることを意味していると理解されたい。また、押しユニットは、例えば、受入領域軸線に平行であると当時に受入領域軸線を横切る方向への運動を行えるので、この運動の少なくとも１つの成分は受入領域軸線に平行である。この結果、押しユニットは、特に、受入領域軸線に平行な、または受入領域軸線に一致する、ワーク軸線に少なくとも部分的に平行にも移動する。押しユニットは、ほぼ直線的に変位可能であることが好ましい。
【００１８】
少なくとも一方のジョー半体（好ましくは両ジョー半体）を枢支するための少なくとも１つの旋回軸は、この少なくとも１つの旋回軸を設けることができるマウントを用いて実現できることが好ましい。この点に関して、下側ジョー半体は、上側ジョー半体を枢支する旋回軸とは別個の旋回軸によっても枢支可能である。ただし、この点に関して、これら旋回軸は、ほぼ平行に配置されることが好ましい。
【００１９】
少なくとも一方のジョー半体は、少なくとも１つの旋回軸を中心として、受入領域軸線をほぼ横切る方向に枢動可能であるので、受入領域軸線と少なくとも１つの旋回軸とはほぼ平行である。
【００２０】
押圧対象のワークは、好ましくは基体とこの基体に押し付けることができるプレススリーブとから成る結合具であることが好ましい。次に、例えば、この結合具基体に管材を導入できる。次に、プレススリーブを結合具基体および／または管に押し付けることによって、受入領域軸線に平行に押圧手順が行われる。すなわち、軸方向の押圧手順が行われる。このプレススリーブによって、半径方向内向きの一様な力が結合具基体および／または管材に加えられる。
【００２１】
本発明による押圧ジョーの一構成によると、上側ジョー半体は第１の上側ジョー四分体と第２の上側ジョー四分体とを有し、下側ジョー半体は第１の下側ジョー四分体と第２の下側ジョー四分体とを有する。この点に関して、第１のジョー四分体は、第２のジョー四分体とは少なくとも部分的に独立に、閉じることができる。換言すると、第１のジョー四分体は、互いに対向する第１の下側および上側ジョー四分体から成るジョー対を形成し、第２のジョー四分体は、互いに対向する第２の下側および上側ジョー四分体から成るジョー対を形成する。ただし、これらジョー四分体を少なくとも１つの共通旋回軸によって枢支することもできる。ただし、上側ジョー四分体は１つの旋回軸によって枢支され、下側ジョー四分体は別の旋回軸によって枢支されることが好ましい。上側ジョー半体は下側ジョー半体に対して鏡面対称に構成され、ひいては両上側ジョー四分体は対応する両下側ジョー四分体に対して鏡面対称に構成されることが好ましい。
【００２２】
ジョー四分体を設けることによって、用途固有の押圧の実現が可能になる。すなわち、例えばタイミングおよび／または空間的に異なる押圧を構成できる。したがって、例えば、時間的に第１のジョー四分体の後に、第２のジョー四分体を閉じることができる。第１および第２のジョー四分体を適切に構成することによって、第１および第２のジョー四分体にそれぞれ異なる機能を設けることもできる。４つより多い数のジョー部分を設けることも可能である。
【００２３】
押圧ジョーの特に好適な一構成によると、特に、受入領域軸線に少なくとも部分的に平行な押しユニットの変位が受入領域軸線をほぼ横切る方向への少なくとも１つの第２のジョー四分体の閉運動に少なくとも部分的にカップリングされるように、押しユニットと当該少なくとも１つの第２のジョー四分体との間にカップリングがもたらされる。
【００２４】
これにより、押しユニットの変位は、特に単純な方法で実現可能であり、押圧ジョーの閉運動に統合可能である。したがって、押しユニットの更なる作動、例えば外部からの作動、は不要である。更に、既に入手可能な、半径方向押圧用に構成された押圧機を軸方向の押圧に用いることもできる。受入領域軸線をほぼ横切る方向への、または少なくとも１つの旋回軸を横切る方向への、少なくとも１つの第２のジョー四分体の旋回運動が受入領域軸線に少なくとも部分的に平行な、押しユニットの変位を引き起こすように、例えば機械的な力の偏向によって、カップリングを実現することができる。この点に関して、このカップリングは、例えば、接触面、継手を介して、および／または空気圧手段によって、行えるが、これだけに限定されるものではない。このカップリングにより、押しユニットと少なくとも１つの第１のジョー四分体とを一体構造にする必要はない。押しユニットは、第２の上側ジョー四分体と第２の下側ジョー四分体とにカップリングされることが好ましい。
【００２５】
押しユニットと少なくとも１つの第２のジョー四分体とが少なくとも部分的にカップリングされるという事実は、例えば、少なくとも１つの第２のジョー四分体の閉運動中にのみ、または閉運動中に部分的にのみ、カップリングが起こり得ることを意味する。したがって、押圧手順中にカップリングを時間的に制限できる。したがって、例えば、受入領域軸線に平行な押しユニットの変位を起こさずに、少なくとも１つの第２のジョー四分体の閉運動を起こすことができる。
【００２６】
第２の上側ジョー四分体が第１の上側ジョー四分体に対して移動するとき（押しユニットと上側第１のジョー四分体との間にカップリングがもたらされる場合）、または第２の下側ジョー四分体が第１の下側ジョー四分体に対して移動するとき（押しユニットと下側第１のジョー四分体との間にカップリングがもたらされる場合）にのみ、受入領域軸線に少なくとも部分的に平行に押しユニットが変位されると都合がよい。
【００２７】
押圧ジョーの有利な一構成によると、このカップリングは、押しユニットに、および少なくとも１つの第２のジョー四分体に、設けられた、互いに適合化され、かつ受入領域軸線に対して傾斜した接触面によって実現される。この結果、特に単純で費用効率の良い方法でカップリングを実現できる。更に、対応するジョー四分体の、受入領域軸線をほぼ横切る方向への閉運動から押しユニットの変位への変換は、接触面の傾斜によって調整可能である。
【００２８】
相互に適合化された両接触面は、力の効率的な伝達を実現するために、押圧手順全体にわたって、すなわち、第２のジョー四分体が開いているとき、更には第２のジョー四分体が閉じているとき、互いに接触していることが好ましい。これら接触面は、摺動を促進するように構成可能であると都合がよい。
【００２９】
これら接触面が受入領域軸線に対して少なくとも３０°、好ましくは少なくとも４０°、特に好ましくは少なくとも４５°、および／または最大８０°、好ましくは最大７０°、特に好ましくは最大６０°傾斜しているとき、小型の押圧ジョーによって特に効率的な力の伝達を実現可能であることが見出された。
【００３０】
この点に関して、これら接触面の好適な傾斜角は、押圧対象のワークに応じて、特に押圧対象の管の呼び幅に応じて、可変である。この傾斜角が上方に制限される場合、軸方向の押圧中に、受入領域軸線に平行な押しユニットの十分な運動、すなわち、十分なストローク、を保証できる。この傾斜角が下方に制限される場合、力の十分な伝達を実現できる。更に、より大きな傾斜角の場合、押圧ジョーのよりコンパクトな構成を実現できる。
【００３１】
本発明による押圧ジョーの別の構成によると、第２のジョー四分体は、受入領域軸線に沿って第１のジョー四分体からずらして配置される。このように軸方向にずらすことによって、第１のジョー四分体による、および／または第２のジョー四分体による、押圧を、例えば時間および／または位置的に異なるように、特に容易に構成できる。
【００３２】
この点に関して、第１のジョー四分体は受入領域軸線をほぼ横切る方向に、ほぼ第１の平面に位置付けられ、かつ第２のジョー四分体は受入領域軸線をほぼ横切る方向に、ほぼ第２の平面に位置付けられると都合がよい。換言すると、第１および第２のジョー四分体は、何れの場合も、受入領域軸線の放射平面に位置決めされる。これにより、特に上側ジョー半体と下側ジョー半体との間に形成された受入領域をほぼ２つの部分領域に分割できる。第１の部分領域において、第１のジョー四分体は、例えば内側輪郭を介して、挿入されるワークに作用することができる。第２の部分領域において、第２のジョー四分体は、例えば押しユニットを介して、挿入されるワークに影響を及ぼすことができる。
【００３３】
この点に関して、平面の概念は広範に解釈されるものとする。その理由は、ジョー四分体は、軸線方向に、すなわち受入領域軸線の方向に、有限の広がりを全く有しないからである。この点に関して、この構成の意味の範囲内で、それぞれ異なる平面に位置決めされた各ジョー四分体は、受入領域軸線の方向に、部分的に重なり合う、および／または互いに係合し合うこともできる。ただし、少なくとも１つの旋回軸の領域において、および／または、場合によってはジョー四分体の後端に設けられた入口輪郭の領域において、第１および第２のジョー四分体は受入領域軸線の方向に重なり合わないことが好ましい。
【００３４】
第１のジョー四分体が圧締用ジョーとして構成される場合、１つ以上のワークを第１のジョー四分体に対して固定できる。これらの圧締用ジョーは、１つ以上のワークを、特に受入領域軸線の方向に、すなわち軸線方向に、固定できる。したがって、例えば、結合具の基体または管材を圧締できる。この点に関して、圧締は、摩擦係止と確実な形状係止との両方によって実現可能である。同様に、圧締された１つ以上のワークを変形させることができる。この固定手順の結果として、特に単純かつ有効な押圧を、特に押しユニットによって、実現できる。例えば、押しユニットが押圧手順を受入領域軸線の方向に行っているとき、押圧対象の１つ以上のワークを外力によって受入領域軸線の方向の所定位置に保持する必要がない。
【００３５】
この目的のために、圧締用ジョーとして構成された第１のジョー四分体は、特に、受入領域の少なくとも一部を画成する、圧締用プロファイルとして構成された内側輪郭を有することができる。この輪郭は、特に、ほぼ円筒形であり、例えば、挿入されたワークを固定するための突条または特定のプロファイルを有することができる。
【００３６】
第１のジョー半体は、特に、受入領域軸線をほぼ横切る方向への前記第１のジョー四分体の閉運動によって、受入領域軸線をほぼ横切る方向への、すなわちほぼ半径方向内向きの、力を生じるように、構成される。
【００３７】
特に、このコンテキストにおいては、第１のジョー四分体の閉運動が受入領域軸線に少なくとも部分的に平行な押しユニットの変位より時間的に前に行われるように、各ジョー四分体が構成されると特に好ましい。これにより、例えば、プレススリーブが押しユニットによって押される前に、例えば、結合具基体が適切に固定されることが保証される。
【００３８】
本発明による押圧ジョーの別の構成は、第１のジョー四分体が第１の入口形状を有し、第２のジョー四分体が第２の入口形状を有し、第１の入口形状と第２の入口形状とは互いに異なる形状であることを特徴とする。これにより、時間的に適合化される運動、特に第１および第２のジョー四分体の閉運動、を特に単純な方法で実現可能である。したがって、例えば、第１のジョー四分体の部分的または完全な閉運動を最初にもたらし、その後に第２のジョー四分体が閉運動を行うことができる。
【００３９】
ただし、第２のジョー四分体が完全に閉じられる前に、第１のジョー四分体が少なくとも完全に閉じられると特に好ましい。結果として、受入領域軸線に少なくとも部分的に平行な押しユニットの変位を、第１のジョー四分体の閉運動に対して時間的にずらすことができる。この結果、例えば、挿入されたワークを最初に圧締または押圧してから、別のワークまたはこのワークの別の部分の、受入領域軸線に少なくとも部分的に平行な変位を押しユニットによって行うことができる。
【００４０】
受入領域軸線をほぼ横切る方向への押しユニットの運動が少なくとも１つの第１のジョー四分体の運動にカップリングされるように、押しユニットと対応する少なくとも１つの第１のジョー四分体との間に案内手段が設けられる場合、第１のジョー四分体の閉運動と共に変位される１つ以上のワークに押しユニットを当てがうことができる。案内手段は、特に、受入領域軸線にほぼ平行に延びるレールおよびガイドボルトの形態で設けられ、受入領域軸線に平行な運動を押しユニットに行わせることができる。したがって、特に、第１のジョー四分体が閉じているとき、押しユニットは受入領域軸線に少なくとも部分的に平行に変位され得る。案内手段は、案内手段が規定する経路からの押しユニットの逸脱を防止することもできる。
【００４１】
この場合、受入領域軸線を横切る方向への押しユニットの運動は第１のジョー四分体によって決められるのに対し、受入領域軸線にほぼ平行な押しユニットの変位は、好ましくは、第２のジョー四分体によって決められる。
【００４２】
例えば、受入領域軸線に平行な押圧手順の後で押しユニットが自動的に開始位置に戻るように、ばね偏倚された案内手段を設けることも可能である。
【００４３】
押しユニットは、好ましくは、第１のジョー四分体に向けて押され、特に、第１のジョー四分体の受容部に少なくとも部分的に押し込まれる。これにより、特に省スペースの押圧ジョーの提供が可能である。
【００４４】
有利な一構成によると、押圧ジョーは、押しユニットが上側押し要素と下側押し要素とを有することを特徴とする。したがって、下側押し要素を下側ジョー半体に対応付け、上側押し要素を上側ジョー半体に対応付けることができる。これにより、一様な力をワークに、例えば受入領域軸線に平行に変位されるプレススリーブに、加えることもできる。２つより多い数の押し要素を有する押しユニットを設けることも可能である。
【００４５】
本発明の第２の教示によると、上記目的は、本発明による押圧ジョーと、基体およびプレススリーブを有する結合具とから成るシステムによって達成される。本システムにおいては、受入領域軸線に少なくとも部分的に平行な押しユニットの運動によってプレススリーブが結合具基体に少なくとも部分的に押し付けられ得るように、押圧ジョーの受入領域は結合具の基体に適合化され、押圧ジョーの押しユニットはプレススリーブに適合化される。
【００４６】
プレススリーブに適合化された押しユニットを設けることにより、受入領域軸線に少なくとも部分的に平行な押しユニットの運動によってプレススリーブを結合具基体に少なくとも部分的に押し付けることができるため、単純な方法でシステムが設けられ、受入領域軸線または結合具軸線の方向に押圧手順を行うことができる。ここで、プレススリーブの軸線、結合具基体の軸線、および受入領域軸線は、少なくとも押圧ジョーが閉じているとき、一致することが好ましい。
【００４７】
この点に関して、押しユニットは、結合具基体へのプレススリーブの押し付けを容易にする。プレススリーブを結合具基体に直接押し付ける必要はない。その間に更なる結合具部品または管材を設けることも可能である。
【００４８】
結果として、結合具の直径を増大させる高く延在する摺動面を結合具に設ける必要がない。代わりに、結合具、特にプレススリーブ、を小さな直径で構成できるので、材料の節約により製作に有利な省スペースの結合具を提供できる。更に、従来技術のシステムに比べ、取り扱いが容易なシステムを提供できる。
【００４９】
例えば、押しユニットの内側輪郭に設けられた、プレススリーブの後方で係合可能な、および／または対応する凹部に係合可能な、半径方向内向きの複数の突起によって押しユニットを適合化できる。代わりに、または加えて、押しユニットに対応する、半径方向外向きに係合する複数の突起をプレススリーブに設けることもできる。
【００５０】
押圧ジョーは、特に、好ましくは結合具の基体を固定する第１のジョー四分体の適合化によって、結合具の基体に適合化される。
【００５１】
本発明によるシステムの更なる構成および利点については、本発明による押圧ジョーの説明および従属請求項を参照されたい。
【００５２】
本発明の第３の教示によると、上記目的は、押圧ジョーを用いて、特に本発明による押圧ジョーを用いて、分離不能管継手を製作する方法によって達成される。本方法によると、押圧ジョーを作動させることによって、押圧ジョーの受入領域に位置決めされた結合具基体が固定され、結合具基体の固定後、受入領域軸線に少なくとも部分的に平行な、押圧ジョーの押しユニットの運動によって、プレススリーブが結合具基体に押し付けられる。
【００５３】
本発明による方法は、単純な方法での軸方向の押圧と結合具の小型化とを同時に可能にする。結合具基体の固定と受入領域軸線に少なくとも部分的に平行な押しユニットの運動とによって軸方向の押圧を生じさせるので、高く延在する結合具または大型の軸方向押圧機を用いる必要がない。
【００５４】
押圧ジョーの第１の上側および下側四分体によって管材が好都合に固定され、押圧ジョーの第２の下側および上側四分体の閉運動によって、受入領域軸線に少なくとも部分的に平行な押しユニットの運動が生じる。これら方策は、特にコンパクトな押圧ジョーの使用を可能にする、実施が簡単で特に確実な方法を提供する。
【００５５】
以下により詳細に記載されているように、上記の方法は、結合具と管材との間の金属封止接合の形成に特に適している。
【００５６】
本発明の第４の教示によると、上記の目的は、少なくとも１つの金属管との金属封止接合のための結合具によって達成される。本結合具は、金属製の結合具基体と、好ましくはプレスリングの形態の、プレススリーブとを有し、結合具基体は、接合対象の管の外径に適合化された内径を有する円筒形ソケットを有し、プレススリーブはソケットの一端を受け入れるための受入部分を一端に有し、プレススリーブは押圧部分を有し、押圧部分の内側プロファイルは、結合具基体の外径より小さな直径まで軸線方向に先細になり、開始位置において、結合具基体はプレススリーブに部分的に挿入されており、押圧部分の内側プロファイルは、結合具基体への軸方向の変位中に、ソケットの端縁を接合対象の管の外径より小さな内径まで先細にできる。
【００５７】
押圧手順中、本発明による結合具の場合、結合具基体の円筒形ソケットの、好ましくは滑らかでバリの無い、端縁が半径方向内向きに変形または鍔出しされる。これにより、所謂封止用フランジが形成される。したがって、この押圧手順の結果として、円筒形ソケットの端縁の周囲全体が刃縁になる。したがって、押圧前に設けられる刃縁または食い込み突条が不要である。
【００５８】
本発明のコンテキストにおいて、用語「円筒」または「円筒形の」は、直線状の円筒を意味すると理解されたい。最も頻繁に見られる円形の円筒に加え、円形以外の領域を有する円筒も含まれる。したがって、本発明は、円形−円筒形の結合具基体および管に限定されない。
【００５９】
したがって、上記の結合具は、最も単純な形状の構成要素のみを必要とするので、極めて経済的に製作可能である。これにより、結合具のための据え付けスペースが最小化され、その結果として、特に、据え付け後の断熱費を削減できる。
【００６０】
また、管と結合具基体とが同じ材料から成る場合は、押圧によって単一材料製の継手を製作可能である。したがって、上記結合具は、その用途が結合具の材料によってのみ限定されるので、広範な適用分野を有する。この点に関して、例えば、銅、ステンレス鋼、亜鉛メッキ鋼、赤ブロンズ、ならびに適したプラスチック材料が材料として可能である。
【００６１】
上記の結合具のプレススリーブは、更なる補助なしに自己保持によって結合具基体の外周に留まるように、結合具の基体に押し付けられることが好ましい。この目的のために、結合具基体との軽いプレス嵌めが生じるように、受入部分の内側プロファイルの内径を構成できる。この目的のために、内径を十分に適合化できる、または内面を粗面化できる。これにより、工場においてプレススリーブを結合具基体に不動に接続できるので、現場での接続を回避できる。
【００６２】
受入部分は好ましくは円筒形であるので、結合具基体のソケットが円筒形の受入部分に沿って受け入れられ、そこに保持される。
【００６３】
プレススリーブの受入部分が先細になるように、特に浅い角度で円錐形に延在する内側プロファイルを有するように、プレススリーブの受入部分を構成することも可能である。この場合、プレススリーブの受入部分の開口部の断面は結合具基体のソケットの外径より大きいので、挿入が容易である。次に、挿入中、ソケットは受入部分内に案内され、最終的に、受入部分の先細断面により、プレススリーブはソケットの外周にしっかりと載る。
【００６４】
更に好適には、押圧部分は円錐形の、または丸みを帯びた、または張り出した内側プロファイルを有する。何れにせよ、この内側プロファイルにより、プレススリーブが押し付けられると、ソケットの端縁が半径方向内向きに押し込まれて鍔出しされることが保証される。この点に関して、円錐状に偏向する内側プロファイルとしての形状が好適である。その理由は、連続的に行われる一様な鍔出しが保証されるからである。ただし、内側輪郭が丸みを帯びているか、または張り出している場合は、プレススリーブが押し付けられているとき、内側の勾配が増加するので、より短い変位経路で、より大きな鍔出しを実現可能である。更に、この場合、ソケットの端縁が管の材料に食い込む角度がより急角度である。
【００６５】
更に好適には、プレススリーブの軸方向アライメントに対する、ひいては管自体に対する、押圧部分の角度はほぼ１〜３０°、好ましくは１０〜２０°、である。この角度は、何れの場合も、使用される材料に、および形成される結合具基体および管壁のサイズ比率に、適合化される。
【００６６】
プレススリーブは、結合具基体の材料より硬質の材料から成る。特に、材料は、金属、例えば銅、ステンレス鋼、亜鉛めっき鋼、および赤ブロンズ、から成ることが好ましい。適したプラスチック材料も可能である。押圧部分の表面は、プレススリーブと同じ材料から成ることが好ましい。
【００６７】
結合具基体のソケットを一様に形成するために、押圧部分の表面は、ソケットがプレススリーブの材料には食い込まないが、管の、特に金属管の、材料に確実に食い込むことを保証するべく硬化されることが好ましい。多層管が用いられる場合、通常、外層はプラスチック材料から成り、複合構造の中心に配置される層は金属から成る。この場合、結合具基体の整形によって永久封止が生じるまで、整形が必要である。この目的のために、内側金属層も少なくとも部分的に成形される程度まで、結合具基体の鍔出しが必要になり得る。
【００６８】
上記のように、受入部分の内側プロファイルが先細になる場合、受入部分と押圧部分とは一様な内側輪郭で延在可能であり、例えばこの２つの部分の間の少なくとも移行領域において、同一の勾配を有し得る。したがって、受入部分と押圧部分とは、内側輪郭の変化によって互いに区別することはできず、それぞれの機能によってのみ互いを識別することが可能である。特に、プレススリーブの内側には、開口部の領域に受入部分を形成すると共に、そこに内側で隣接する押圧部分を形成する内側先細部分を設けることができる。
【００６９】
基体とプレススリーブとから成る上記の結合具は、あらゆる種類の軸方向押し工具に適している。押圧中、唯一の重要な要因は、プレススリーブを結合具の基体のソケットに軸方向に押し付けることである。軸方向の運動は、端縁の周囲への一様な鍔出し、ひいては一様な押圧結果、を保証する。
【００７０】
特に、上記の押圧ジョーでは、押しユニットによって結合具を押圧できる。この目的のために、結合具基体は、押圧ジョーの第１のジョー対による圧締のための圧締部分を有することが好ましい。圧締部分が弾性範囲内でのみ変形される、かつ押圧ジョーの解放後に押圧ジョーが開始位置に戻る、力で圧締を行うことができる。
【００７１】
ただし、この圧締動作は、圧締部分の領域に部分押圧をもたらすこともできるので、回転対称な整形ばかりでなく、結合具基体に対する管の捻れを防止するために、多角形の形態の、特に六角形の形態の、整形も可能である。この整形は、継手の機械的強度を高めるが、封止式の成形には役立たない。
【００７２】
更に、特許文献１による押圧ジョーを用いた押圧手順も可能である。この種の押圧ジョーは、押圧プロファイルの両側に斜めの輪郭を有する一対のジョーを有する。押圧ジョーの圧縮により、互いに対して斜角で偏向する２つの係合面が互いに向かって移動され、これにより、軸方向の押圧を可能にする。この目的のために、プレススリーブは斜めに偏向する支持面を有し、結合具基体は、好ましくは周方向の窪みに配置された、反対方向に延在する支持面を有する圧締リングを有する。
【００７３】
更に好適には、結合具基体には、より小さな直径を有する、公知の方法で止め子としての役割を果たす部分がソケットに隣接して設けられる。したがって、接合対象の管をこの止め子まで結合具に挿入できるので、押圧前に、結合具によって管の申し分ない案内が保証される。
【００７４】
上記の結合具の更なる利点は、押圧されていないとき、密着していない点である。結合具基体のソケットと管との間の継手が未押圧の状態では、非可撓性の封止材料は望ましくない封止を生じさせ得ない。したがって、本発明による結合具が取り付けられた管路が加圧下で試験されるとき、未押圧状態の結合具は密着していない。軸方向の押圧の完了時にのみ、封止が生じる。
【００７５】
上記の結合具は単純な形状によって識別される。この形状は、他ならぬその単純さ故に、結合具と管との間の金属封止接合のために驚くほど良好な押圧結果をもたらす。この理由により、それ自体が公知の半田結合具を結合具基体として用いることができる。挿入された管に半田結合具を、半田付けせずに、プレススリーブを軸方向に押すことによって、固定および金属封止される方法で接合するために更に設ける必要があるのは、プレススリーブだけである。
【００７６】
本発明による結合具の使用方法は、実質的に無制限である。したがって、これら結合具は、一方では、例えば飲料水配管設備および加熱用配管設備の部門において公知の解決策を経済的な解決策に置き換えることができる。他方、本発明に基づき軸方向に押圧される金属封止結合具は、以下の応用分野においても初めて使用可能である。即ち、冷凍施設、工業施設、特に天然ガスパイプライン、原油パイプライン、およびガソリンパイプライン、ならびに化学工業施設、ソーラープラント、医療ガスを通すための施設内プラントにおいて、または航空宇宙産業においても使用可能である。
【００７７】
本発明の第５の教示によると、上記の目的は、結合具を金属管に金属封止式に接合する方法によって達成される。本方法によると、受入部分を有するプレススリーブが結合具基体の円筒形ソケットの外周に配置され、円筒形ソケットに管が挿入され、押圧ジョーによってプレススリーブが軸方向にソケットに押し付けられ、プレススリーブの内側に構成された先細の押圧部分によってソケットの端縁が半径方向内向きに変形され、ソケットの端縁は、刃縁として、管の材料に食い込む。
【００７８】
したがって、本発明による方法は、押圧ジョーの特定の構成に関係なく、実施可能である。必要なことは、力の伝達ために必要な結合具の各要素と押圧ジョーとが互いに適合化されていることだけである。
【００７９】
本発明による方法、本発明による押圧ジョー、本発明によるシステム、および本発明による結合具の更なる構成および利点に関しては、対応する従属請求項および以下の説明を参照されたい。
【００８０】
以下においては、図面に例示されている一実施形態に言及して本発明をより詳細に説明する。
【図面の簡単な説明】
【００８１】
【図１】押圧ジョーの一実施形態のジョー半体が開いている状態の斜視図である。
【図２】第１のジョー四分体が部分的に閉じた図１の押圧ジョーを示す。
【図３ａ】第１のジョー四分体が閉じた図２の押圧ジョーの図である。
【図３ｂ】第１のジョー四分体が閉じた図２の押圧ジョーの別の図である。
【図３ｃ】第１のジョー四分体が閉じた図２の押圧ジョーの別の図である。
【図４ａ】第２のジョー四分体も閉じた図３の押圧ジョーの図である。
【図４ｂ】第２のジョー四分体も閉じた図３の押圧ジョーの別の図である。
【図４ｃ】第２のジョー四分体も閉じた図３の押圧ジョーの別の図である。
【図５】ジョー半体が開いた図１の押圧ジョーを結合具と共に示す斜視図である。
【図６ａ】結合具が完全に挿入されて第１のジョー四分体が閉じた図５の押圧ジョーと結合具の図である。
【図６ｂ】結合具が完全に挿入されて第１のジョー四分体が閉じた図５の押圧ジョーと結合具の別の図である。
【図６ｃ】結合具が完全に挿入されて第１のジョー四分体が閉じた図５の押圧ジョーと結合具の別の図である。
【図７ａ】第２のジョー四分体が閉じた図６の押圧ジョーと結合具の図である。
【図７ｂ】第２のジョー四分体が閉じた図６の押圧ジョーと結合具の別の図である。
【図７ｃ】第２のジョー四分体が閉じた図６の押圧ジョーと結合具の別の図である。
【図８】本発明による結合具の第１の実施形態の押圧前の斜視図である。
【図９】図８の結合具の断面図である。
【図１０】本発明による結合具の第１の実施形態の押圧後の斜視図である。
【図１１】図１０の結合具の断面図である。
【図１２】本発明による結合具の第２の実施形態の押圧前の断面図である。
【図１３】図１２の結合具の押圧後の断面図である。
【図１４】図１４ａ〜１４ｄは、本発明によるプレススリーブの内側プロファイルの一形状を示す。
【図１５】本発明による結合具の第３の実施形態の押圧前の斜視図である。
【図１６】押圧ジョーが当てがわれた図１４の結合具の断面図である。
【図１７】本発明による結合具の第３の実施形態の押圧後の斜視図である。
【図１８】図１６の結合具の断面図である。
【発明を実施するための形態】
【００８２】
以下においては、図１〜７を参照して、本発明による押圧ジョー１、システム、および方法を例によって説明する。図８〜１８は、本発明による結合具の複数の実施形態を示す。
【００８３】
図１は、押圧ジョー１の一実施形態のジョー半体２ａ、２ｂが開いている状態の斜視図である。押圧ジョー１の上側ジョー半体２ａは、第１の上側ジョー四分体４ａと第２の上側ジョー四分体６ａとから成る。下側ジョー半体２ｂは、第１の下側ジョー四分体４ｂと第２の下側ジョー四分体６ｂとから成る。図１には、ジョー半体２ａ、２ｂが開いている、すなわち第１のジョー四分体４ａ、４ｂと第２のジョー四分体６ａ、６ｂとが全開位置にある、押圧ジョー１が示されている。マウント８は、上側ジョー四分体４ａ、６ａを枢支する上側旋回軸８ａと、下側ジョー四分体４ｂ、６ｂを枢支する下側旋回軸８ｂとを有する。
【００８４】
第１のジョー四分体４ａ、４ｂの各々は、押圧機のための入口形状１２を形成する後端１０ａ、１０ｂを有する。同様に、第２のジョー四分体６ａ、６ｂの後端１４ａ、１４ｂは、押圧機のための入口形状１６を形成する。第１のジョー四分体４ａ、４ｂの前端１８ａ、１８ｂと第２のジョー四分体６ａ、６ｂの前端２０ａ、２０ｂとの間に受入領域２２が形成される。受入領域２２は、受入領域軸線２４を有する。受入領域軸線２４は、マウント８の旋回軸８ａおよび８ｂにほぼ平行に延びる。結果として、受入領域軸線に沿ってずらして配置された第１のジョー四分体４ａ、４ｂと第２のジョー四分体６ａ、６ｂとは、受入領域軸線２４を横切る方向へ、および旋回軸８ａ、８ｂを横切る方向へ、一平面内でそれぞれ枢動可能である。
【００８５】
押圧ジョー１は、上側押し要素２６ａと下側押し要素２６ｂとを有する押しユニット２６を更に備える。押しユニット２６の上側押し要素２６ａは、案内手段２８ａによって第１の上側ジョー四分体４ａに連結される。下側押し要素２６ｂは、案内手段２８ｂによって第１の下側ジョー四分体４ｂに連結される。案内手段２８ａ、２８ｂは、受入領域軸線２４にほぼ平行に延びるガイドレールまたはガイドボルトとして構成される。押し要素２６ａ、２６ｂは、案内手段２８ａ、２８ｂによって、第１のジョー四分体４ａ、４ｂの対応する受容部３０ａ、３０ｂの中に移動できる。図１には、第１のジョー四分体４ａ、４ｂの外に移動された位置にある押しユニット２６が示されている。
【００８６】
押しユニット２６の上側押し要素２６ａと第２の上側ジョー四分体６ａとの間にカップリング３２ａがもたらされ、押しユニット２６の下側押し要素２６ｂと第２の下側ジョー四分体６ｂとの間にカップリング３２ｂがもたらされる。図示の実施形態において、カップリング３２ａ、３２ｂは、何れの場合も、押しユニット２６の押し要素２６ａ、２６ｂの、および第２のジョー四分体６ａ、６ｂの、互いに適合化された接触面３４ａ、３４ｂ、３６ａ、３６ｂとして実現される。この点に関して、上側押し要素２６ａに配置された接触面３４ａは、第２の上側ジョー四分体６ａの接触面３６ａに接触し、下側押し要素２６ｂに配置された接触面３４ｂは、第２の上側ジョー四分体６ｂの接触面３６ｂに接触する。以降の図から明らかになるように、カップリング３２ａ、３２ｂにより、受入領域軸線２４にほぼ平行な押しユニット２６の変位は、受入領域軸線２４をほぼ横切る方向への第２のジョー四分体６ａ、６ｂの閉運動に部分的にカップリングされる。
【００８７】
受入領域２２は、ほぼ２つに分割される。圧締用プロファイルが設けられた第１のジョー四分体４ａ、４ｂの、受入領域２２を画定する内側輪郭３８は、ワーク、特に結合具基体、を受入領域軸線の方向に圧締または固定可能な第１の部分領域を形成する。押しユニット２６の押し要素２６ａ、２６ｂによって画定される、受入領域２２の第２の部分領域においては、押しユニット２６によってワーク、特にプレススリーブ、を受入領域軸線２４またはワーク軸線に平行に移動させることができる。押しユニット２６は、この目的のために適切に適合化された内側輪郭４０を有する。
【００８８】
図２は、第１のジョー四分体２ａ、２ｂが部分的に閉じた図１の押圧ジョー１を示す。この状態において、圧締および／または押圧手順を開始せずに、押圧ジョー１を特に１つ以上のワークに当てがうことができる。第１のジョー四分体４ａ、４ｂの、入口形状１２を形成する後端１０ａ、１０ｂを押し離すことによって、第１のジョー四分体４ａ、４ｂは殆ど完全に閉じられる。この点に関して、第２のジョー四分体６ａ、６ｂの入口形状１６は、第２のジョー四分体６ａ、６ｂの後端１４ａ、１４ｂの近傍において、第１のジョー四分体４ａ、４ｂの入口形状１２と同様に構成される。この結果、第２のジョー四分体６ａ、６ｂも、初めは、第１のジョー四分体４ａ、４ｂに平行に閉じられる。これにより、第２の上側ジョー四分体６ａと第１の上側ジョー四分体４ａとは、互いに対して移動していない。同じことは下側ジョー四分体４ｂ、６ｂにも当てはまる。これは、特に、図１に示されているように、第１のジョー四分体４ａ、４ｂに設けられた凹部４１ａ、４１ｂに第２のジョー四分体６ａ、６ｂがまだ嵌入していないという事実からも認識できる。
【００８９】
受入領域軸線２４をほぼ横切る方向への第１のジョー四分体４ａ、４ｂの運動により、押し要素２６ａ、２６ｂも受入領域軸線２４をほぼ横切る方向に相応に動かされている。この点に関して、第２の上側ジョー四分体６ａと上側押し要素２６ａとは互いに対して同じ位置を有する。したがって、同じことは、第２の下側ジョー四分体６ｂと下側押し要素２６ｂにも当てはまる。したがって、押しユニット２６は、受入領域軸線２４の方向に移動されていない。
【００９０】
図３ａ〜ｃは、第１のジョー四分体４ａ、４ｂが閉じた図２の押圧ジョー１のさまざまな図である。最初に、図３ａは斜視図である。図２と対照的に、第１のジョー四分体４ａ、４ｂは完全に閉じている。第１のジョー四分体４ａ、４ｂの前端１８ａ、１８ｂ、ならびに押し要素２６ａ、２６ｂは、互いに対接している。第１のジョー四分体４ａ、４ｂの内側輪郭３８と押しユニット２６の内側輪郭４０とは、周方向に閉じられる受入領域２２を形成する。
【００９１】
図３ｂに示されている側面図は、受入領域２４がほぼ円形の断面を有することを示す。ただし、例えば、楕円形または多角形の断面も可能である。
【００９２】
第２のジョー四分体６ａ、６ｂの入口形状１６は、第２のジョー四分体６ａ、６ｂの前端２０ａ、２０ｂの方向に先細になり、第１のジョー四分体４ａ、４ｂの入口形状１２より狭まる。互いに異なる入口形状１２、１６により、押圧機は、第２のジョー四分体６ａ、６ｂを第１のジョー四分体４ａ、４ｂより時間的に遅らせて閉じることができる。
【００９３】
図３ｃは、受入領域２２の領域においてジョー四分体４ａ、４ｂ、６ａ、６ｂの前端１８ａ、１８ｂ、２０ａ、２０ｂを通る図３ｂの線ＩＩＩｃに沿った断面を示す。第２のジョー四分体６ａ、６ｂは、既に完全に閉じている第１のジョー四分体４ａ、４ｂより開いている。図１に比べると、押し要素２６ａ、２６ｂは、受入領域軸線２４に平行には未だ動かされていない。押しユニット２６は、第１のジョー四分体４ａ、４ｂから離れている。押し要素２６ａおよび２６ｂの接触面３４ａ、３４ｂは、第２のジョー四分体６ａおよび６ｂの対応する接触面３６ａおよび３６ｂに既に接触している。受入領域軸線２４に対する接触面３４ａ、３４ｂ、３６ａ、３６ｂの角度はほぼ５０°である。
【００９４】
図４ａ〜ｃは、図３の押圧ジョー１を図３に似た図で示しているが、第２のジョー四分体６ａ、６ｂは閉じている。図４ａは押圧ジョー１の斜視図であり、図４ｂは側面図を示す。図３と対照的に、受入領域軸線２４を横切る方向への更なる移動により、第２のジョー四分体６ａ、６ｂも完全に閉じている。これは、特に、第２のジョー四分体６ａ、６ｂの、更に押し離されている後端１４ａ、１４ｂから認識可能である。結果として、前端２０ａ、２０ｂは、第１のジョー四分体４ａ、４ｂに設けられた凹部４１ａ、４１ｂに嵌入する。受入領域軸線２４をほぼ横切る方向への第２のジョー四分体６ａ、６ｂの閉運動により、第２のジョー四分体６ａ、６ｂは、対応する第１のジョー四分体４ａ、４ｂに対して移動する。この結果、上側押し要素２６ａの接触面３４ａは、第２の上側ジョー四分体６ａの接触面３６ａに沿って摺動し、下側押し要素２６ｂの接触面３４ｂは、第２の下側ジョー四分体６ｂの接触面３６ｂに沿って摺動する。案内手段２８ａ、２８ｂにより、押しユニット２６の押し要素２６ａ、２６ｂは、受入領域軸線２４を横切る方向への運動の自由がないため、第２のジョー四分体６ａ、６ｂと押し要素２６ａ、２６ｂとの間のカップリングによって、押し要素２６ａ、２６ｂは受入領域軸線２４に平行に移動して受容部３０ａ、３０ｂに入る。
【００９５】
図４ｃは、図３ｃと同様に、図４ｂの線ＩＶｃに沿った断面を示す。図３ｃと対照的に、受入領域軸線を横切る方向への第２のジョー四分体６ａ、６ｂの閉運動によって押し要素２６ａ、２６ｂは案内手段２８ａ、２８ｂに沿って第１のジョー四分体４ａ、４ｂに向かって移動されているので、押しユニット２６の押し要素２６ａ、２６ｂは第１のジョー四分体４ａ、４ｂに当たって動きが阻止されている。
【００９６】
図５は、特に、図１の押圧ジョーを示す。押圧ジョー１の説明に関しては、図１〜４を参照されたい。図１と対照的に、図５は、結合具５０の形態のワークを更に示す。結合具５０は、結合具基体５４と、この結合具基体に取り付けられた２つのプレススリーブ５６および５８とを備える。結合具５０は、ほぼ管状である。ジョー半体２ａ、２ｂが開位置にあるとき、軸線５２を有する結合具５０を、受入領域軸線２４を横切る方向に、受入領域２２に導入できる。
【００９７】
図３ａ〜ｃと同様に、図６ａ〜ｃは、第１のジョー四分体４ａ、４ｂが閉じた図５の押圧ジョー１および結合具５０のさまざまな図である。第１のジョー四分体４ａ、４ｂが閉じているとき、結合具５０の軸線５２は、受入領域軸線２４に一致する。第１のジョー四分体４ａ、４ｂの内側輪郭３８は、結合具５０の基体５４の外周面に適合化されている。したがって、第１のジョー四分体４ａ、４ｂが閉位置にあるとき、内側輪郭３８は基体５４を圧締する。この点に関して、ワーク軸線５２を横切る方向に結合具基体５４を押圧することも可能である。ただし、結合具基体５４がワーク軸線５２の方向に、または受入領域軸線２４の方向に、移動しないように押圧ジョー１に対して固定されるように、圧締動作のみが行われることが好ましい。
【００９８】
図６ａ〜ｃに示されている押し要素２６の位置において、押しユニット２６はプレススリーブ５６の後方で係合する。押しユニット２６の内側輪郭４０に設けられた、プレススリーブ５６の後方で係合する、上側および下側の押し要素２６ａおよび２６ｂの半径方向内向きの突起４４ａ、４４ｂによって、押しユニット２６は適合化されている。
【００９９】
ここで第２のジョー四分体６ａ、６ｂが受入領域軸線２４を横切る方向にそれぞれの閉位置に移動されると、カップリング３２ａ、３２ｂにより、押しユニット２６は受入領域軸線２４にほぼ平行に移動され、その結果として、プレススリーブ５６は、結合具５０の軸線５２の方向に結合具の基体に押し付けられる。結果として、例えば、結合具５０に挿入された管（図示せず）を、結合具５０と共に、押圧できる。
【０１００】
この状態は、図７ａ〜ｃに示されている。図７ａ〜ｃは、図４ａ〜ｃと同様に第２のジョー四分体６ａ、６ｂが閉じた、図６の押圧ジョー１と結合具５０のさまざまな図である。
【０１０１】
図７ｃから分かるように、次に、位置付けられているだけのプレススリーブ５８を、結合具５０を１８０°回転させて受入領域２２に導入することによって、プレススリーブ５６と同じ方法で押圧ジョー１によって結合具基体５４に押し付けることができる。
【０１０２】
図７ａおよび７ｂは、押圧機７０を更に示している。入口形状１２、１６を形成する後端１０ａ、１０ｂおよび１４ａ、１４ｂの間にローラ７０ａ、７０ｂを導入することによって、押圧ジョーは徐々に閉じられる。図７に示されている押圧ジョー１の位置において、押圧ジョーは既に完全に閉じている。すなわち、押圧機７０のローラ７０ａ、７０ｂは、第１のジョー四分体４ａ、４ｂならびに第２のジョー四分体６ａ、６ｂが完全に閉じるまで、入り込んでいる。
【０１０３】
その後、全てのジョー四分体４ａ、４ｂ、６ａ、６ｂを、例えば手で、一緒に開くことができるので、押圧された結合具５０から押圧ジョー１を取り外すことができる。これにより、分離不能管継手を製作できる。
【０１０４】
以下においては、図８〜１８を参照して、本発明による結合具をより詳細に説明する。
【０１０５】
図８〜１１は、本発明による結合具５０の第１の実施形態を、何れの場合も、斜視図と断面図とで示す。
【０１０６】
結合具５０は、少なくとも１つの金属管８０との金属封止接合のために設けられる。結合具の金属基体５４は、円筒形ソケット８２を有する。その内径は、接合対象の管８０の外径に適合化されている。これにより、管８０の図示の端部は、結合具基体５４に接合するために、ソケット８２に挿入可能である。
【０１０７】
更に、結合具基体５４の左手に示されている端部に、プレスリングの形態のプレススリーブ５６が設けられる。結合具基体５４の他端にもソケット８４が設けられる。ソケット８４は、ソケット８２がプレススリーブ５６および管８０と協働するのと同じように、プレススリーブ５８および管８０と協働する。この理由により、以下においては、ソケット８２とその動作モードのみを説明する。
【０１０８】
プレススリーブ５６は、その一端に、ソケット８２の端部を受け入れるための受入部分８６を有する。これにより、ソケット８２に対するプレススリーブ５６の精密な位置付けと同時に申し分のない保持を実現するための、ソケット８２へのプレススリーブ５６の部分的な押し付けが可能になる。したがって、図８および図９に示されている開始位置において、結合具基体５４はプレススリーブ５６に部分的に挿入されている。この点に関して、プレススリーブ５６がソケット８２の表面に位置付けられたときに、受入部分８６の内側輪郭が自己保持を生じることが好ましい。この目的のために、ソケット８２との軽いプレス嵌めが生じるように、内径を選択できる。同様に、自己保持効果を生じさせるために、受入部分８６の内側輪郭に粗面を設けることができる。
【０１０９】
更に、プレススリーブ５６は押圧部分８８を有する。押圧部分８８の内側プロファイルは、その直径が結合具基体５４の外径より小さくなるまで、軸線方向に先細になる。したがって、押圧部分８８の内側プロファイルは、結合具基体５４への軸方向の変位中に、ソケット８２の端縁を、接合対象の管８０の外径より小さな内径になるまで、先細にすることができる。
【０１１０】
この状態は、図１０および１１に示されている。プレススリーブ５６に挿入された、結合具基体５６のソケット８２は、半径方向内向きに成形または鍔出しされるので、ソケット８２の端縁は管８０の材料に食い込む。これにより、封止用フランジの形態の刃縁８９がソケット８２の周囲全体にわたって形成され、結合具基体５４と管８０との間に金属封止接合が形成される。
【０１１１】
したがって、円筒形の結合具５０または円筒形ソケット８２の直線状端縁は、この押圧手順によって、周方向の刃縁８９に整形される。
【０１１２】
プレススリーブ３６および管８０と協働するソケット８２を有する、左手に示されている結合具基体５４の上記の動作モードは、右手に示されているソケット８４、プレススリーブ５８、および管８０にも同様に当てはまる。
【０１１３】
図１２（押圧前）および図１３（押圧後）は、本発明による結合具５０の第２の実施形態を示す。この実施形態において、結合具基体５４は、その一端にのみ、ソケット５４とプレススリーブ５６とを有し、右手に示されている端部は挿入端９０として構成されている。この点に関して、結合具基体の形状は直線状として図示されている。また、湾曲した弧、Ｔ字片、またはアーマチュアも結合具基体として可能である。
【０１１４】
図８〜１３に示されているように、受入部分８６は円筒形である。したがって、受入部分８６の軸方向の案内により、ソケット８２の精密な位置付けが可能であり、これにより、良好な、一様な押圧結果が得られる。
【０１１５】
更に、図８〜１１にも示されているように、押圧部分８８は円錐形である。結果として、ソケット８２の端部が一様に整形される。この場合、受入部分８６と押圧部分８８との間に周縁８７が延びる。
【０１１６】
図１４は、断面形状がそれぞれ異なる受入部分８６、押圧部分８８、およびプレススリーブ５６の可能な内側輪郭を示す。
【０１１７】
図１４ａは、図８〜１３の内側輪郭を示す。これらの図において、受入部分８６の内側輪郭は円筒形であり、押圧部分８８の内側輪郭は円錐形である、
【０１１８】
図１４ｂは、内側輪郭全体が円錐形で形成され、受入部分８６と押圧部分８８の勾配が同じであるため、これら２つの部分を直接区別できない内側輪郭を示す。したがって、一様に偏向した内側輪郭において、第１の部分が受入部分８６と称され、その隣接部分が押圧部分８８と称され、それぞれの部分はそれぞれの機能を引き受ける。平坦な勾配により、受入部分８６はソケット（この図に不図示）を自己保持式に受け入れることができるので、プレススリーブ５４を結合具基体（この図に不図示）に事前に取り付けておくことができる。
【０１１９】
図１４ｃでは、受入部分８６は同じく円筒形であるが、押圧部分８８は丸みを帯びているか、または張り出している。丸みを帯びているか張り出しているかの区別は、押圧部分８８の湾曲した内側輪郭のために選択される半径方向経路に応じて決まる。
【０１２０】
最後に、図１４ｄは、受入部分８６と押圧部分８８の両方が軸線方向に湾曲した内側輪郭を有するプレススリーブ５４を示す。これにより、挿入されたソケットは最初にプレススリーブ内に案内されて漸次挿入され、その後に次第に内向きに成形される。
【０１２１】
図示の各実施形態において、各円錐面は軸線方向に対して傾斜して示されている。この点に関して、好適な角度範囲は１から３０°であり、特に１０から２０°である。
【０１２２】
図８〜１３に示されている結合具は、図１〜７に関連して説明した本発明による押圧ジョーを用いた軸方向の押圧に適している。この押圧手順は、特に図５、図６ｃ、および図７ｃから分かる。
【０１２３】
この目的のために、結合具基体５４は、上記の押圧ジョーの第１のジョー対４ａ、４ｂによる圧締のための圧締部分９２を有する。圧締部分９２は、プレススリーブ５６に挿入された結合具基体５４の部分に隣接する。
【０１２４】
ジョー対４ａ、４ｂによる軸方向への圧締によって、結合具基体５４は管８０と一緒に固定されるので、その後、プレススリーブ５６を結合具基体５４の表面に押し付けることができる。この理由により、最初に結合具基体５４が固定され、その後にのみ、プレススリーブ５６軸方向に押圧される。
【０１２５】
押圧ジョー４ａ、４ｂは、圧締部分９２の部分的押圧も可能である。すなわち、特定の構造を結合具基体５４に部分的に永久成形できる。この点に関して、押圧を回転対称に行うことも、または、結合具基体５４に対する管８０の捻れを防止するために、多角形、特に六角形、の形態に行うこともできる。圧締部分９２の領域における押圧は継手の機械的強度を向上させるが、結合具基体５４に対するプレススリーブ５６の軸方向の押圧の代用にはならない。
【０１２６】
既述のように、上記の結合具５０の押圧手順は、本発明による押圧ジョーの使用に限定されない。本発明による結合具５０には、他の形態の軸方向の押圧も使用可能である。
【０１２７】
この一例が図１５〜１８に第３の実施形態として示されている。これらの図では、結合具５０の上記と同じ要素には同じ参照符号が用いられている。この理由により、上記の各実施形態との相違点にのみ言及する。
【０１２８】
第３の実施形態は、特許文献１に記載されているように、押圧ジョーによる軸方向への押圧が可能である。
【０１２９】
開始位置において結合具基体５４に押し付けられているプレススリーブ５６は、斜めに偏向した支持面９４を有する。更に、結合具基体５４は、周方向の窪み９６に配置された圧締リング９８を有する。圧締リング９８は、支持面９４の反対方向に位置合わせされた支持面１００を有する。圧締リング９８は、金属製の結合具基体５４の表面に位置付け可能であるように、少なくとも部分的に可撓性である。それにも拘らず、圧締リング９８は、以下に説明するように、軸方向の押圧力に対して当接機能をもたらすために十分な抵抗力を有する。
【０１３０】
図１６は、結合具５０に加え、押圧ジョー１０２を示す。押圧ジョー１０２は、互いに反対方向に位置合わせされた２つの支持面１０４および１０６を有する。支持面１０４はプレススリーブ５６の支持面９４と協働し、支持面１０６は圧締リング９８の支持面１００に押し当てられる。
【０１３１】
支持面１１０および１１２を有する同一構成の押圧ジョー１０８は、プレススリーブ５６の反対側に載る。この場合、支持面１１０はプレススリーブ５６支持面９４と協働し、支持面１１２は圧締リング９８の支持面１００と協働する。
【０１３２】
押圧中、２つの押圧ジョー１０２および１０８は互いに向かって移動され、斜めの支持面は互いに沿って摺動する。その結果、プレススリーブ５６は結合具基体５４に押圧される。この点に関して、圧締リング９８は当接面として機能する。図１７および図１８は、プレススリーブ５６が押圧された状態を示す。
【０１３３】
図１５〜１８は、図８〜１１のように、第２のプレススリーブ５８をそれぞれ示す。プレススリーブ５８も斜めに偏向する支持面を有し、圧締リング９８もそれに対応する支持面を有する。したがって、プレススリーブ９８も、圧締リング９８と上記の押圧ジョー１０２および１０８とが相応に当てがわれたとき、これらよって軸方向に押圧可能である。
【０１３４】
図８〜１３および図１５〜１８に示されている結合具基体５４は、例えば半田結合具として、構成可能である。したがって、経済的に製作可能なこれら結合具は、本発明により、軸方向に容易に金属封止式に押圧可能である。
【０１３５】
最後に、図示の各実施形態において、挿入される管８０に対する止め子が、周方向の窪み１１４によって、または肩部１１６によって、または圧締リング９８用の窪み９６によって、結合具基体５４に形成される。
【図１】
0005951124.tif 000002
【図２】
0005951124.tif 000003
【図３ａ】
0005951124.tif 000004
【図３ｂ】
0005951124.tif 000005
【図３ｃ】
0005951124.tif 000006
【図４ａ】
0005951124.tif 000007
【図４ｂ】
0005951124.tif 000008
【図４ｃ】
0005951124.tif 000009
【図５】
0005951124.tif 000010
【図６ａ】
0005951124.tif 000011
【図６ｂ】
0005951124.tif 000012
【図６ｃ】
0005951124.tif 000013
【図７ａ】
0005951124.tif 000014
【図７ｂ】
0005951124.tif 000015
【図７ｃ】
0005951124.tif 000016
【図８】
0005951124.tif 000017
【図９】
0005951124.tif 000018
【図１０】
0005951124.tif 000019
【図１１】
0005951124.tif 000020
【図１２】
0005951124.tif 000021
【図１３】
0005951124.tif 000022
【図１４】
0005951124.tif 000023
【図１５】
0005951124.tif 000024
【図１６】
0005951124.tif 000025
【図１７】
0005951124.tif 000026
【図１８】
0005951124.tif 000027